(57)【特許請求の範囲】
【請求項１】
（Ａ）インターネット網に接続され、遠隔監視制御機能を有する遠隔監視制御用サーバと、（Ｂ）遠隔監視制御の対象となる機器・設備に付加され、前記遠隔監視制御用サーバが前記遠隔監視制御の対象となる機器・設備を遠隔監視及び遠隔制御するとき、前記インターネット網に接続され、遠隔監視制御用サーバからの制御指示に従った制御信号を前記機器・設備に出力し、前記機器・設備の状態を示す監視データを収集して前記監視データを示す監視情報を前記遠隔監視制御用サーバへ送信する第１の情報端末と、（Ｃ）前記遠隔監視制御用サーバに前記機器・設備を遠隔制御させることを指示する制御情報を前記遠隔監視制御用サーバに対して送出する制御情報送出手段と、前記遠隔監視制御用サーバから転送される、前記遠隔監視制御用サーバが前記第１の情報端末から送信された前記監視情報を受信し、前記監視情報から前記監視データを取り出して表示する表示手段とを有して、前記遠隔監視制御用サーバを介して前記機器・設備を遠隔監視制御する第２の情報端末と、を備え、前記遠隔監視制御用サーバが、前記第２の情報端末へ送信するための監視データ表示画面の表示内容と、前記監視データ表示画面に基づいて行われる前記第２の情報端末での制御の指示入力のための制御入力画面の表示内容とを前記第２の情報端末の前記表示手段の表示画面の１画面内に納まるように配置して監視・制御入力表示画面を生成し、生成した前記監視・制御入力表示画面を前記第２の情報端末に送信することを特徴とする遠隔監視制御システム。
【請求項２】
請求項１記載の遠隔監視制御システムにおいて、前記遠隔監視制御用サーバは、前記第２の情報端末から前記機器・設備を遠隔制御するために送信される前記制御情報を第１の制御情報として受信して、受信した前記第１の制御情報を、前記第１の情報端末へ送信する制御情報として適した第２の制御情報に変換して前記第１の情報端末へ向けて送信し、また、前記第１の情報端末から送信された前記監視情報を第１の監視情報として受信して、受信した前記第１の監視情報を、前記第２の情報端末へ送信する監視情報として適した第２の監視情報に変換して前記第２の情報端末へ向けて送信することを特徴とする遠隔監視制御システム。
【請求項３】
請求項２記載の遠隔監視制御システムにおいて、前記遠隔監視制御用サーバは、前記第２の情報端末に表示するための表示画面を生成するためのフォーマット画面を格納する画面格納手段と前記監視データを格納する監視データ格納手段とを有し、前記第２の情報端末からの要求に基づき、画面格納手段と監視データ格納手段とから前記フォーマット画面と前記監視データとを読み出して前記第２の情報端末に表示するための表示画面を生成し、生成された前記表示画面を前記第２の監視情報として前記第２の情報端末へ送信することを特徴とする遠隔監視制御システム。
【請求項４】
請求項３記載の遠隔監視制御システムにおいて、前記遠隔監視制御用サーバは、前記第２の情報端末に表示する前記表示画面のフォーマットとして前記遠隔監視制御の対象となる機器・設備の種別に対応して生成された各種のフォーマットを前記画面格納手段に格納しておき、前記第２の情報端末からの要求で前記表示画面を前記第２の情報端末へ送信するときは、前記画面格納手段から、前記第２の情報端末が遠隔監視制御の対象としている機器・設備に対応した前記監視表示画面のフォーマットを読み出して前記第２の監視信号により前記第２の情報端末へ送信することを特徴とする遠隔監視制御システム。
【請求項５】
請求項１記載の遠隔監視制御システムにおいて、前記遠隔監視制御用サーバが、前記第２の情報端末の要求に応じて前記機器・設備を遠隔監視及び遠隔制御したとき、前記第２の情報端末に対して前記機器・設備の遠隔監視及び遠隔制御の代価を算出し請求する課金手段を有することを特徴とする遠隔監視制御システム。
【請求項６】
請求項１記載の遠隔監視制御システムにおいて、前記遠隔監視制御用サーバを前記遠隔監視制御の対象となる機器・設備の種別に設けることを特徴とする遠隔監視制御システム。
【請求項７】
請求項６記載の遠隔監視制御システムにおいて、前記第２の情報端末は、種別に設けられた複数の前記遠隔監視制御用サーバの中から前記第２の情報端末が遠隔監視制御の対象としている機器・設備の種別に応じて前記遠隔監視制御用サーバを選択して遠隔監視制御の対象としている前記機器・設備を遠隔監視制御することを特徴とする遠隔監視制御システム。
【請求項８】
請求項１、請求項２、請求項３、請求項４、請求項５、請求項６又は請求項７記載の遠隔監視制御システムにおいて、前記第１の情報端末及び前記第２の情報端末は無線情報端末であることを特徴とする遠隔監視制御システム。
【請求項９】
（Ａ）携帯電話機の表示部に被遠隔監視制御対象の監視データを表示させるとき、前記携帯電話機は、内蔵する操作入力部で前記被遠隔監視制御対象の前記監視データを表示させるためのキー操作が行われると、前記被遠隔監視制御対象の監視データ表示要求を示す第１の制御情報を、インターネット網に接続される遠隔監視制御用サーバ宛に送出する第１の手順、（Ｂ）前記遠隔監視制御用サーバは、前記携帯電話機からの被遠隔監視制御対象の監視データの表示要求を示す前記第１の制御情報を受信し、受信した前記第１の制御情報の示す前記被遠隔監視制御対象の監視データの表示要求に基づいて被監視制御用無線端末へ送信するための第２の制御情報を生成し、生成した前記第２の制御情報を前記被監視制御用無線端末宛に送信する第２の手順、（Ｃ）前記被監視制御用無線端末は、前記遠隔監視制御用サーバからの前記被遠隔監視制御対象の監視データの収集要求を示す前記第２の制御情報を受信し、前記被遠隔監視制御対象の監視データを収集する第３の手順、（Ｄ）前記被監視制御用無線端末は、収集した前記被遠隔監視制御対象の監視データを示す第１の監視情報を前記遠隔監視制御用サーバ宛に送出する第４の手順、（Ｅ）前記遠隔監視制御用サーバは、前記被監視制御用無線端末からの前記被遠隔監視制御対象の監視データを示す前記第１の監視情報を受信すると、前記携帯電話機の前記表示部に表示される前記被遠隔監視制御対象の監視データ表示画面を生成するための画面フォーマットを、内蔵する表示画面格納部から読み出し、前記携帯電話機に前記被遠隔監視制御対象の監視データ表示画面が表示されたとき、前記画面フォーマットの所定の位置に前記被監視制御用無線端末からの前記被遠隔監視制御対象の監視データが表示されるように、前記画面フォーマットと前記被遠隔監視制御対象の監視データとから前記被遠隔監視制御対象の監視データ表示画面を生成する第５の手順、（Ｆ）前記遠隔監視制御用サーバは、内蔵する前記表示画面格納部から前記被遠隔監視制御対象の制御を行うための制御入力画面を読み出し、前記被遠隔監視制御対象の監視データ表示画面の表示内容と前記被遠隔監視制御対象の制御を行うための前記制御入力画面の表示内容とがともに前記携帯電話機の前記表示部の表示画面の１画面内に納まるように、あらかじめ定められた、前記表示部の所定の位置にそれぞれの表示内容を配置して前記被遠隔監視制御対象の監視・制御入力表示画面を生成し、生成された前記被遠隔監視制御対象の監視・制御入力表示画面を示す情報である第２の監視情報を前記携帯電話機宛に送信する第６の手順、（Ｇ）前記携帯電話機は、前記遠隔監視制御用サーバから送信されてきた、前記被遠隔監視制御対象の監視・制御入力表示画面を前記表示部に表示する第７の手順、を実行することを特徴とする遠隔監視制御システムにおける監視制御方法。
【発明の詳細な説明】
【０００１】
【発明の属する技術分野】
本発明は遠隔監視制御システムに関し、特に遠隔監視制御の対象となる各種の機器・設備に対する遠隔監視制御機能を有する遠隔監視制御用サーバをインターネット網に設け、前記遠隔監視制御用サーバを介してインターネット網にアクセス可能な携帯電話機又はパーソナルコンピュータなどの情報端末から遠隔監視制御を行う遠隔監視制御システムに関する。
【０００２】
【従来の技術】
近年、ドアの施錠又は施錠解除をリモコン操作によって遠隔から行うことができる自動車が既に世に出回っており、また、家庭内の各種の機器・設備を外出先から電話回線を使用して遠隔監視制御できる技術も開発されてきていて、身近なところで遠隔監視制御技術がさまざまな機器・設備に用いられてきている。
【０００３】
この家庭内の各種の機器・設備の遠隔監視制御で用いられている技術は、主として電話回線を監視制御信号の伝送路として使用して、遠隔監視制御の対象となる機器・設備に接続された電話端末に対して遠隔地の電話端末を介して遠隔監視制御を行う方式のものであるが、従来のこれらの電話回線を使用して行われる遠隔監視制御方式では、遠隔監視制御の対象となる機器・設備に接続された電話端末と、遠隔地の電話端末との間で電話回線を介して直接監視制御信号を送受信するように構成されている。
【０００４】
しかし、従来の方式では、例えば、使用される遠隔監視制御システムの遠隔監視制御の対象となる機器・設備が自動車の場合であれば、上述のように、自動車のドアの施錠又は施錠解除をリモコン操作によって遠隔から行うことができるが、その遠隔監視制御システムで家庭の玄関ドアの施錠の遠隔監視制御を行おうとしても不可能であるというように、その遠隔監視制御システムは他の機器・設備を遠隔監視制御の対象として使用できない単機能のものであった。
【０００５】
特開平１０−２６２１２０号公報にも、センサやバルブ等のデータ情報、及びこれらにより測定される流量値や圧力値のプロセス状態等のデータ情報を、ＰＨＳ電話機と携帯情報端末を用いて監視する遠隔監視システムが記載されている。しかし、この場合も監視対象の機器・設備が異る場合にはインタフェースを変更しなければならないので、身近にあるさまざまな機器・設備を同時に監視制御の対象として監視制御できず、１つのシステムで複数の機器・設備を監視制御の対象として監視制御できる遠隔監視制御システムとしては使用することはできなかった。
【０００６】
また、特開平１１−３５５４６８号公報に示されるように、情報端末が家庭内及び自動車等の移動体内、または歩行中などさまざまな場所でネットワークの情報にアクセスしたとき、その情報端末のそれぞれの使用場所に適した形態で情報を提供するサーバはあるが、監視制御対象の機器についての監視情報を提供するための各種の表示画面のフォーマットをあらかじめサーバに保持していて、監視制御対象の機器に応じて、また、監視制御項目の違いの応じて必要な表示画面のフォーマットを取り出して、監視データとその表示画面のフォーマットとから表示画面を生成して情報端末へ提供することはできるようなサーバはまだなく、１つの遠隔監視制御システムで各種の機器・設備を監視制御の対象とすることができないという問題があった。
【０００７】
また、上記の従来の方式では、遠隔監視制御の対象となる機器・設備の監視制御を行うときに、監視表示画面と制御操作を行う表示画面とが別々に表示され、監視表示画面を見ながら制御操作ができず、制御操作がしにくいという問題があった。
【０００８】
【発明が解決しようとする課題】
上述した従来の遠隔監視制御システムでは、監視制御対象の機器についての監視情報を提供するための各種の表示画面のフォーマットをあらかじめ保持することのできるサーバがなく、監視制御対象の機器に応じて、また、監視制御項目の違いに応じて必要な表示画面のフォーマットを取り出して、監視データとその表示画面のフォーマットとから表示画面を生成して携帯情報端末へ提供することはできないので、１つの遠隔監視制御システムで各種の機器・設備を監視制御の対象とすることができないという欠点を有していた。
【０００９】
また、遠隔監視制御の対象となる機器・設備の監視制御を行うときに、監視表示画面と制御操作を行う表示画面とが別々に表示され、監視表示画面を見ながら制御操作ができず、制御操作がしにくいという欠点を有していた。
【００１０】
本発明の目的は、各種の機器・設備を監視制御の対象とすることができ、かつ監視表示画面を見ながら制御操作ができて操作性のよい表示画面を情報端末に表示させることができる遠隔監視制御システムを提供するものである。
【００１１】
【課題を解決するための手段】
第１の発明の遠隔監視制御システムは、（Ａ）インターネット網に接続され、遠隔監視制御機能を有する遠隔監視制御用サーバと、（Ｂ）遠隔監視制御の対象となる機器・設備に付加され、前記遠隔監視制御用サーバが前記遠隔監視制御の対象となる機器・設備を遠隔監視及び遠隔制御するとき、前記インターネット網に接続され、遠隔監視制御用サーバからの制御指示に従った制御信号を前記機器・設備に出力し、前記機器・設備の状態を示す監視データを収集して前記監視データを示す監視情報を前記遠隔監視制御用サーバへ送信する第１の情報端末と、（Ｃ）前記遠隔監視制御用サーバに前記機器・設備を遠隔制御させることを指示する制御情報を前記遠隔監視制御用サーバに対して送出する制御情報送出手段と、前記遠隔監視制御用サーバから転送される、前記遠隔監視制御用サーバが前記第１の情報端末から送信された前記監視情報を受信し、前記監視情報から前記監視データを取り出して表示する表示手段とを有して、前記遠隔監視制御用サーバを介して前記機器・設備を遠隔監視制御する第２の情報端末と、を備え、前記遠隔監視制御用サーバが、前記第２の情報端末へ送信するための監視データ表示画面の表示内容と、前記監視データ表示画面に基づいて行われる前記第２の情報端末での制御の指示入力のための制御入力画面の表示内容とを前記第２の情報端末の前記表示手段の表示画面の１画面内に納まるように配置して監視・制御入力表示画面を生成し、生成した前記監視・制御入力表示画面を前記第２の情報端末に送信することを特徴として構成される。
【００１２】
また、第２の発明の遠隔監視制御システムは、第１の発明の遠隔監視制御システムにおいて、前記遠隔監視制御用サーバは、前記第２の情報端末から前記機器・設備を遠隔制御するために送信される前記制御情報を第１の制御情報として受信して、受信した前記第１の制御情報を、前記第１の情報端末へ送信する制御情報として適した第２の制御情報に変換して前記第１の情報端末へ向けて送信し、また、前記第１の情報端末から送信された前記監視情報を第１の監視情報として受信して、受信した前記第１の監視情報を、前記第２の情報端末へ送信する監視情報として適した第２の監視情報に変換して前記第２の情報端末へ向けて送信することを特徴として構成される。
【００１３】
また、第３の発明の遠隔監視制御システムは、第２の発明の遠隔監視制御システムにおいて、前記遠隔監視制御用サーバは、前記第２の情報端末に表示するための表示画面を生成するためのフォーマット画面を格納する画面格納手段と前記監視データを格納する監視データ格納手段とを有し、前記第２の情報端末からの要求に基づき、画面格納手段と監視データ格納手段とから前記フォーマット画面と前記監視データとを読み出して前記第２の情報端末に表示するための表示画面を生成し、生成された前記表示画面を前記第２の監視情報として前記第２の情報端末へ送信することを特徴として構成される。
【００１４】
また、第４の発明の遠隔監視制御システムは、第３の発明の遠隔監視制御システムにおいて、前記遠隔監視制御用サーバは、前記第２の情報端末に表示する前記表示画面のフォーマットとして前記遠隔監視制御の対象となる機器・設備の種別に対応して生成された各種のフォーマットを前記画面格納手段に格納しておき、前記第２の情報端末からの要求で前記表示画面を前記第２の情報端末へ送信するときは、前記画面格納手段から、前記第２の情報端末が遠隔監視制御の対象としている機器・設備に対応した前記監視表示画面のフォーマットを読み出して前記第２の監視信号により前記第２の情報端末へ送信することを特徴として構成される。
【００１５】
また、第５の発明の遠隔監視制御システムは、第１の発明の遠隔監視制御システムにおいて、前記遠隔監視制御用サーバが、前記第２の情報端末の要求に応じて前記機器・設備を遠隔監視及び遠隔制御したとき、前記第２の情報端末に対して前記機器・設備の遠隔監視及び遠隔制御の代価を算出し請求する課金手段を有することを特徴として構成される。
【００１６】
また、第６の発明の遠隔監視制御システムは、第１の発明の遠隔監視制御システムにおいて、前記遠隔監視制御用サーバを前記遠隔監視制御の対象となる機器・設備の種別に設けることを特徴として構成される。
【００１７】
また、第７の発明の遠隔監視制御システムは、第６の発明の遠隔監視制御システムにおいて、前記第２の情報端末は、種別に設けられた複数の前記遠隔監視制御用サーバの中から前記第２の情報端末が遠隔監視制御の対象としている機器・設備の種別に応じて前記遠隔監視制御用サーバを選択して遠隔監視制御の対象としている前記機器・設備を遠隔監視制御することを特徴として構成される。
【００１８】
また、第８の発明の遠隔監視制御システムは、第１の発明、第２の発明、第３の発明、第４の発明、第５の発明、第６の発明又は第７の発明の遠隔監視制御システムにおいて、前記第１の情報端末及び前記第２の情報端末は無線情報端末であることを特徴として構成される。また、第９の発明の遠隔監視制御システムにおける監視制御方法は、（Ａ）携帯電話機の表示部に被遠隔監視制御対象の監視データを表示させるとき、前記携帯電話機は、内蔵する操作入力部で前記被遠隔監視制御対象の前記監視データを表示させるためのキー操作が行われると、前記被遠隔監視制御対象の監視データ表示要求を示す第１の制御情報を、インターネット網に接続される遠隔監視制御用サーバ宛に送出する第１の手順、（Ｂ）前記遠隔監視制御用サーバは、前記携帯電話機からの被遠隔監視制御対象の監視データの表示要求を示す前記第１の制御情報を受信し、受信した前記第１の制御情報の示す前記被遠隔監視制御対象の監視データの表示要求に基づいて被監視制御用無線端末へ送信するための第２の制御情報を生成し、生成した前記第２の制御情報を前記被監視制御用無線端末宛に送信する第２の手順、（Ｃ）前記被監視制御用無線端末は、前記遠隔監視制御用サーバからの前記被遠隔監視制御対象の監視データの収集要求を示す前記第２の制御情報を受信し、前記被遠隔監視制御対象の監視データを収集する第３の手順、（Ｄ）前記被監視制御用無線端末は、収集した前記被遠隔監視制御対象の監視データを示す第１の監視情報を前記遠隔監視制御用サーバ宛に送出する第４の手順、（Ｅ）前記遠隔監視制御用サーバは、前記被監視制御用無線端末からの前記被遠隔監視制御対象の監視データを示す前記第１の監視情報を受信すると、前記携帯電話機の前記表示部に表示される前記被遠隔監視制御対象の監視データ表示画面を生成するための画面フォーマットを、内蔵する表示画面格納部から読み出し、前記携帯電話機に前記被遠隔監視制御対象の監視データ表示画面が表示されたとき、前記画面フォーマットの所定の位置に前記被監視制御用無線端末からの前記被遠隔監視制御対象の監視データが表示されるように、前記画面フォーマットと前記被遠隔監視制御対象の監視データとから前記被遠隔監視制御対象の監視データ表示画面を生成する第５の手順、（Ｆ）前記遠隔監視制御用サーバは、内蔵する前記表示画面格納部から前記被遠隔監視制御対象の制御を行うための制御入力画面を読み出し、前記被遠隔監視制御対象の監視データ表示画面の表示内容と前記被遠隔監視制御対象の制御を行うための前記制御入力画面の表示内容とがともに前記携帯電話機の前記表示部の表示画面の１画面内に納まるように、あらかじめ定められた、前記表示部の所定の位置にそれぞれの表示内容を配置して前記被遠隔監視制御対象の監視・制御入力表示画面を生成し、生成された前記被遠隔監視制御対象の監視・制御入力表示画面を示す情報である第２の監視情報を前記携帯電話機宛に送信する第６の手順、（Ｇ）前記携帯電話機は、前記遠隔監視制御用サーバから送信されてきた、前記被遠隔監視制御対象の監視・制御入力表示画面を前記表示部に表示する第７の手順、を実行することを特徴として構成される。
【００１９】
【発明の実施の形態】
次に、本発明の実施の形態について図面を参照して説明する。
【００２０】
本発明の遠隔監視制御システムは、監視制御対象となる機器又は設備（以下、機器・設備と称する）についての遠隔監視制御を、インターネット網に接続された遠隔監視制御用サーバを介して、インターネット網にアクセス可能な携帯電話機又はパーソナルコンピュータなどの端末から行うものである。このために、監視制御対象となる上記機器又は設備には、インターネット網へのアクセスを可能とする手段が組み込まれるか又は搭載される。
【００２１】
本発明の下記の実施の形態の説明では、監視制御対象となる機器・設備の一例として自動車を例に挙げ、自動車の監視データの表示及び自動車のドアの施錠制御等の場合を例にして説明する。
【００２２】
図１は、本発明の遠隔監視制御システムの実施の一形態を示すブロック図である。
【００２３】
図１に示す本実施の形態の遠隔監視制御システムは、インターネット網３０と、インターネット網３０に接続される移動無線基地局４０と、インターネット網３０に接続される公衆電話網６０と、インターネット網３０に接続され、インターネット網３０及び移動無線基地局４０を介して、後述する携帯電話機１０からの遠隔制御情報としての制御情報１１を受信し、受信した制御情報１１に基づいて、後述する被監視制御用無線端末２０へ送信するための遠隔制御情報としての制御情報２１を生成して被監視制御用無線端末２０へ送信し、かつ、被監視制御用無線端末２０からの遠隔監視情報としての監視情報２２を受信し、受信した監視情報２２に基づいて、携帯電話機１０への送信するための遠隔監視情報としての監視情報１２を生成し、生成した監視情報１２を携帯電話機１０へ送信することで、携帯電話機１０からの遠隔監視制御開始要求を受けてインターネット網３０、移動無線基地局４０、及び被監視制御用無線端末２０を介して、監視制御対象の機器・設備としての自動車８０を遠隔監視制御し、遠隔監視制御の結果情報を監視情報１２により携帯電話機１０へ返す遠隔監視制御用サーバ５０と、自動車８０に搭載され、自動車８０のドアの施錠状態、燃料の残量状態等の監視項目ごとの状態を示す監視データを収集し、収集した監視データを含んで生成した監視情報２２を移動無線基地局４０及びインターネット網３０を介して遠隔監視制御用サーバ５０へ送信し、かつ、移動無線基地局４０及びインターネット網３０を介して遠隔監視制御用サーバ５０から送信されてくる、自動車８０のドアの施錠制御等の制御項目ごとの制御情報２１を受信して自動車８０に制御信号を出力する被監視制御用無線端末２０と、移動無線基地局４０に接続され、インターネット網３０に接続される遠隔監視制御用サーバ５０から送信されてくる監視情報１２を移動無線基地局４０を介して受信し、受信した監視情報１２から取り出した自動車８０の監視内容を示す監視データを含む表示画面等を、内蔵する表示手段に表示し、また、内蔵する操作入力手段での遠隔制御のための操作入力に基づき、遠隔制御の制御内容を含む制御情報１１を移動無線基地局４０を介して遠隔監視制御用サーバ５０へ送信することにより、監視制御対象の自動車８０を監視制御する携帯電話機１０と、公衆電話網６０に接続され、携帯電話機１０と同様に、インターネット網３０に接続される遠隔監視制御用サーバ５０から送信される監視情報１２を公衆電話網６０を介して受信し、受信した監視情報１２から取り出した監視データを含む表示画面等を、内蔵する表示手段に表示し、また、内蔵する操作手段での操作によって公衆電話網６０を介して遠隔監視制御用サーバ５０へ制御情報１１を送信することにより、監視制御対象の自動車８０を遠隔監視制御するパーソナルコンピュータ７０とから構成される。
【００２４】
また、被監視制御用無線端末２０は、図２に示すように、自動車８０の各監視項目ごとの状態を示す監視データ、すなわち監視対象となる、自動車８０の各部の状態を示す監視データを定期的に収集する監視データ収集部２０４と、監視データ収集部２０４が収集する上記監視データを含んだ監視情報として、移動無線基地局４０と被監視制御用無線端末２０との間の移動無線通信回線を介して送出するのに適した信号形式の監視情報２２を生成して出力し、また、上記移動無線通信回線を介して送信されてくる、自動車８０の各部を制御するための制御コードを含む制御情報２１を入力し前記制御コードを取り出して出力する送受信信号処理部２０３と、送受信信号処理部２０３から前記制御コードを入力して自動車８０の制御項目ごとの制御信号、すなわち自動車８０の制御対象となる各部を制御するための制御信号を自動車８０に出力する制御出力部２０５と、上記移動無線通信回線を構成するため移動無線基地局４０との間で移動無線周波数を送受信するアンテナ２０１と、アンテナ２０１を介して遠隔監視制御用サーバ５０へ送信するための監視情報２２を上記移動無線周波数により移動無線基地局４０へ送信し、また、移動無線周波数により遠隔監視制御用サーバ５０から送信された制御情報２１を移動無線基地局４０から受信し送受信信号処理部２０３に出力する無線通信部２０２と、ＧＰＳ信号を受信し被監視制御用無線端末２０の緯度・経度上の現在位置を算出して出力する位置検出部２０６とから構成される。
【００２５】
また、携帯電話機１０は、図３に示すように、図示しないキーボードを有し、携帯電話機１０から自動車８０に対して行われる、後述する表示部３０４の図示しない液晶ディスプレイの画面での遠隔制御の制御項目の選択を指示し、また選択された制御項目の実行を、上記キーボード上でのキー操作により指示する操作入力部３０５と、図示しない上記液晶ディスプレイを有し、携帯電話機１０から送信した遠隔監視制御開始要求に基づき遠隔監視制御用サーバ５０から監視情報１２として送られてくる、自動車８０の遠隔監視の監視項目についての状態を示す、上記液晶ディスプレイ上に表示される監視データの表示画面と、この監視データを見て遠隔制御が必要な場合に操作入力部３０５において行われるキー操作による指示で、上記表示画面上のカーソルを動かし、上述した遠隔制御の制御項目の選択を可能にする制御指示入力を行うための表示画面とを一緒に表示する監視・制御入力表示画面などの各種の表示画面を上記液晶ディスプレイの画面に表示する表示部３０４と、操作入力部３０５のキーボード上で遠隔制御の指示を入力するためのキー操作が行われ操作入力部３０５から出力された制御項目の制御コードを受け取り、この制御コードを含む遠隔制御情報として、移動無線通信回線を介して送出するのに適した信号形式の遠隔制御情報を生成して後述する無線通信部３０２へ出力し、また、移動無線通信回線を介して送信されてくる監視情報１２から取り出した自動車８０についての監視データ表示画面等を表示部３０４に出力し表示させる送受信信号処理部３０３と、上記移動無線通信回線を構成するため移動無線基地局４０との間で移動無線周波数を送受信するアンテナ３０１と、アンテナ３０１を介して遠隔監視制御用サーバ５０へ送信するための制御情報１１を上記移動無線周波数により移動無線基地局４０へ送信し、また、移動無線周波数により遠隔監視制御用サーバ５０から送信された監視情報１２を移動無線基地局４０から受信し送受信信号処理部３０３に出力する無線通信部３０２と、ＧＰＳ信号を受信して携帯電話機１０の緯度・経度上の現在位置を算出し出力する位置検出部３０６とから構成される。
【００２６】
また、遠隔監視制御用サーバ５０は、図４に示すように、インターネット網３０を介して携帯電話機１０からの制御情報１１及び被監視制御用無線端末２０からの監視情報２２等の情報を受信し、かつ、インターネット網３０を介して、監視情報１２等の携帯電話機１０宛の情報を携帯電話機１０宛に、また制御情報２１等の被監視制御用無線端末２０宛の情報を被監視制御用無線端末２０宛にインターネット網３０及び移動無線基地局４０を介して送信するインターネット通信部４０１と、監視データ表示画面、操作指示表示画面等の、遠隔監視制御時に携帯電話機１０の表示部３０４に表示される各種の表示画面を格納しておく表示画面格納部４０６と、遠隔監視制御時に携帯電話機１０の表示部３０４に表示される表示画面を表示画面格納部４０６から読み出し後述するデータ処理制御部４０２へ出力する表示画面格納制御部４０５と、携帯電話機１０の監視データ、及び携帯電話機１０から遠隔監視制御用サーバ５０へアクセスする際に送信されてくる携帯電話機１０の暗証番号をチェックするために用いられる照合用の暗証番号等のデータを格納するデータ格納部４０４と、遠隔監視制御時に被監視制御用無線端末２０から監視情報２２として送信されてくる監視データをデータ格納部４０４へ格納し、また、携帯電話機１０へ監視データを送信するときデータ格納部４０４から読み出して後述するデータ処理制御部４０２へ出力するデータ格納制御部４０３と、遠隔監視制御時に、インターネット網３０からインターネット通信部４０１によって受信した携帯電話機１０からの要求に応じて必要な表示画面を、表示画面格納制御部４０５を制御して表示画面格納部４０６から読み出し、携帯電話機１０宛にインターネット通信部４０１を介して送信し、また、被監視制御用無線端末２０から監視情報２２として送信されてくる監視データを携帯電話機１０へ監視情報１２として送信する場合には、表示画面格納制御部４０５を制御して表示画面格納部４０６から読み出した監視データ表示画面のフォーマットとデータ格納部４０４に格納されていた被監視制御用無線端末２０から送信されてきた監視データとから、携帯電話機１０の表示部３０４に表示する状態の監視データ表示画面を生成し、さらに、表示画面格納部４０６から読み出した、携帯電話機１０に対して次の段階の入力を要求するための入力要求画面と監視データ表示画面とを合成して、携帯電話機１０宛に送信するデータ処理制御部４０２とから構成される。
【００２７】
次に、上記の図１〜図４の他に、順次図５〜図１２を参照して動作を説明する。
【００２８】
図５は、本実施の形態の遠隔監視制御システムにおける監視動作の流れの一例を示す流れ図である。
【００２９】
携帯電話機１０を用いて自動車８０の遠隔監視制御を開始するために、図３に示す携帯電話機１０の操作入力部３０５において、遠隔監視制御用サーバ５０への遠隔監視制御開始要求を送信するための操作入力が行われると、操作入力部３０５から自動車８０の遠隔監視制御の開始を遠隔監視制御用サーバ５０へ要求するよう送受信信号処理部３０３に指示が行われる。送受信信号処理部３０３は、移動無線基地局４０及びインターネット網３０を介して遠隔監視制御用サーバ５０へアクセスして遠隔監視制御開始要求を送信する。
【００３０】
遠隔監視制御用サーバ５０では、携帯電話機１０からの、自動車８０の遠隔監視制御のための遠隔監視制御開始要求をインターネット網３０からインターネット通信部４０１によって受信すると、データ処理制御部４０２が、受信した携帯電話機１０からの遠隔監視制御開始要求に含まれる制御情報を調べ、遠隔監視制御開始要求が示す要求が遠隔監視制御用サーバ５０に自動車８０の遠隔監視制御の開始を要求するものであることを認識し、表示画面格納制御部４０５を制御して表示画面格納部４０６から暗証番号入力用画面を読み出させ、読み出された暗証番号入力用画面を表示画面格納制御部４０５から受け取り、暗証番号入力用画面情報として携帯電話機１０宛にインターネット通信部４０１、インターネット網３０及び移動無線基地局４０を介して送信する。
【００３１】
携帯電話機１０に送信されてきた暗証番号入力用画面情報は、アンテナ３０１及び無線通信部３０２を介して送受信信号処理部３０３に入力される。送受信信号処理部３０３は、送信されてきた暗証番号入力用画面情報に基づいて表示部３０４に暗証番号入力用画面を表示させる。表示部３０４に表示された暗証番号入力用画面に対して、暗証番号入力用画面の指示に従って操作入力部３０５から暗証番号入力が行われると、送受信信号処理部３０３は入力された暗証番号を遠隔監視制御用サーバ５０宛に送信する。
【００３２】
携帯電話機１０から送信されてきた暗証番号を受信した遠隔監視制御用サーバ５０では、データ処理制御部４０２が、データ格納部４０４に格納してある携帯電話機１０の暗証番号との照合を行い、送信されてきた暗証番号がデータ格納部４０４に格納してある暗証番号と一致したとき、送信されてきた暗証番号は正しい暗証番号であるとデータ処理制御部４０２が判定して、自動車８０の遠隔監視制御の動作を開始し、遠隔監視制御用サーバ５０のデータ処理制御部４０２は、被監視制御用無線端末２０に対して自動車８０の監視項目の状態を示す監視データの収集を行うよう監視データ収集要求をインターネット通信部４０１を介して被監視制御用無線端末２０に送出する。
【００３３】
被監視制御用無線端末２０は、アンテナ２０１及び無線通信部２０２により、遠隔監視制御用サーバ５０からの監視データ収集要求を受信し、受信した監視データ収集要求を送受信信号処理部２０３に出力する。送受信信号処理部２０３は、送信されてきた監視データ収集要求に基づいて監視データ収集部２０４に自動車８０の各部の状態を示す監視データを収集させ、得られた全ての監視データを監視データ収集部２０４から受け取り、監視情報２２として遠隔監視制御用サーバ５０宛てにアンテナ２０１及び無線通信部２０２を介して移動無線基地局４０へ送信する。
【００３４】
遠隔監視制御用サーバ５０では、被監視制御用無線端末２０から送信されてきた監視情報２２を受信すると、データ処理制御部４０２がこの監視情報２２をデータ格納部４０４に格納すると同時に、監視情報２２に含まれる監視データを表示させるための、監視データ表示画面のフォーマットを表示画面格納部４０６から読み出し、読み出した監視データ表示画面のフォーマットと、被監視制御用無線端末２０から送信されてきてデータ格納部４０４に記憶させた監視データとから、携帯電話機１０に監視データ表示画面が表示されたとき、上記監視データ表示画面のフォーマットの所定の場所に被監視制御用無線端末２０からの監視データがそれぞれ表示されるようにして、携帯電話機１０に送信するための監視データ表示画面を生成する。
【００３５】
さらに、データ処理制御部４０２は、監視データ表示画面を見た後、制御の必要がある場合に携帯電話機１０でその制御の指示入力を行うための制御入力画面を、表示画面格納部４０６から読み出して、先に生成した監視データ表示画面の表示内容と制御入力画面の表示内容とがともに携帯電話機１０の表示部３０４の表示画面の１画面内に納まるように、あらかじめ定められた所定の位置にそれぞれの画面内容を配置して画面の再構築をして、監視データを見ながら制御入力が可能な監視・制御入力表示画面を生成し、この監視・制御入力表示画面を示す情報である監視情報１２をインターネット通信部４０１を介して携帯電話機１０宛に送信する。携帯電話機１０では、遠隔監視制御用サーバ５０から送信されてきた監視・制御入力表示画面を表示部３０４に表示する。
【００３６】
図６は、本実施の形態の携帯電話機１０における画面の表示例を示す説明図である。
【００３７】
図６（ａ）は、携帯電話機１０の表示部３０４の液晶ディスプレイ画面８００に、監視データ表示画面と制御入力画面とが合成された画面が表示されている様子を示す。すなわち、図６（ａ）の液晶ディスプレイ画面８００には、ドア施錠、窓開閉、エアコン及び燃料残量等の監視データの表示、及びドア施錠、窓開閉及びエアコン等の制御入力のための表示とが一緒に表示される。ドア施錠、窓開閉、エアコン等の表示の右に、ドア施錠、窓開閉、エアコンのそれぞれの監視データが表示され、さらにその右に、ドア施錠、窓開閉、エアコンのそれぞれの制御入力を行うためのボタンが表示される。
【００３８】
例えば、液晶ディスプレイ画面８００の中で、ドア施錠の監視データは表示枠８０１の中に表示され、ドア施錠の制御入力が行われる上記ボタン８０２が、表示枠８０１の右に設けられる。また、燃料残量の監視データは表示枠８０３の中に表示される。
【００３９】
携帯電話機１０の表示部３０４の液晶ディスプレイ画面８００に表示される、上述した制御入力画面よりさらに詳細な制御入力画面を液晶ディスプレイ画面８００に表示させるときには、監視・制御入力詳細表示画面を表示させるためのキー操作を操作入力部３０５のキーボード上で行うことにより、監視・制御入力詳細表示画面を表示させることが出来る。
【００４０】
図６（ｂ）は、携帯電話機１０の表示部３０４に、上述した監視・制御入力詳細表示画面を、ドア施錠の場合で表示している様子を示す。
【００４１】
図６（ａ）に示す液晶ディスプレイ画面８００で「ドア施錠の制御入力」ボタンを選択し監視・制御入力詳細表示画面の表示を指示するキー操作が行われると、図６（ａ）に示す表示画面に代って、図６（ｂ）に示すドア施錠の制御入力の監視・制御入力詳細表示画面が液晶ディスプレイ画面８００に表示される。ドア施錠の制御入力の監視・制御入力詳細表示画面には、運転手席のドアの監視データの表示枠８０４ａ、及びドア施錠の制御入力が行われるボタン８０５とドア施錠の解除を行うための制御入力が行われるボタン８０６が表示され、同様に、運転手席後部の座席、助手席及び助手席後部の座席のそれぞれのドアの監視データの表示枠８０４ｂ〜８０４ｄとドア施錠の制御入力、及びドア施錠の解除を行うための制御入力を行うためのボタンとが表示される。従って、これらの監視データを液晶ディスプレイ画面８００で見ながら、それぞれの、座席のドアの施錠及び施錠の解除のための制御入力を操作入力部３０５のキーボードで行うことができる。
【００４２】
なお、図６（ａ）に示す液晶ディスプレイ画面８００のドア施錠の表示枠８０１の中に表示される監視データは、図６（ｂ）に示す液晶ディスプレイ画面８００のドア施錠の、表示枠８０４ａ〜表示枠８０４ｄの中に表示される監視データが集約された監視データである。すなわち、表示枠８０４ａ〜表示枠８０４ｄの中に表示される監視データの全ての監視データがドア施錠の行われていることを示す場合は、表示枠８０１の中に表示される監視データは、ドア施錠が行われていることを示す監視データとなり、表示枠８０４ａ〜表示枠８０４ｄの中に表示される監視データの１つでもドア施錠が解除されドア施錠が行われていない状態を示す場合は、表示枠８０１の中に表示される監視データは、ドア施錠が行われていない状態にあることを示す監視データとなる。
【００４３】
図７は、本実施の形態の遠隔監視制御システムにおける自動車８０のドア施錠状態の情報を監視データとして収集する動作の流れの一例を示す流れ図である。
【００４４】
すなわち、図７は、携帯電話機１０を用いて離れた場所から被監視制御用無線端末２０を介して自動車８０のドア施錠状態の情報を監視データとして収集し、収集した監視データを携帯電話機１０に送信する動作の流れを示している。
【００４５】
図７に示すように、携帯電話機１０の表示部３０４に自動車８０のドア施錠状態の監視データを表示させるときには、操作入力部３０５のキーボードにおいてドア施錠状態を示す監視データを表示させるためのキー操作を行うと、ドア施錠監視データ表示要求を遠隔監視制御用サーバ５０に対して行うよう指示する制御指示が操作入力部３０５から送受信信号処理部３０３に行なわれ、ドア施錠監視データ表示要求を示す制御情報１１が送受信信号処理部３０３から無線通信部３０２、アンテナ３０１を介してインターネット網３０に接続される遠隔監視制御用サーバ５０宛に送出される。
【００４６】
遠隔監視制御用サーバ５０では、携帯電話機１０からのドア施錠監視データ表示要求を示す制御情報１１を、インターネット通信部４０１を介してデータ処理制御部４０２で受信する。データ処理制御部４０２は、受信した制御情報１１の示すドア施錠監視データ表示要求に基づいて被監視制御用無線端末２０へ送信するための制御情報２１を生成し、生成した制御情報２１を被監視制御用無線端末２０宛にインターネット通信部４０１を介して、自動車８０のドア施錠監視データ収集要求の制御情報２１として送出する。すなわち、データ処理制御部４０２は、携帯電話機１０からの制御情報１１を受信し、受信した制御情報１１を被監視制御用無線端末２０へ送信する制御情報として適した制御情報である制御情報２１に変換して送信する。
【００４７】
被監視制御用無線端末２０では、遠隔監視制御用サーバ５０からの自動車８０のドア施錠監視データ収集要求を示す制御情報２１を、アンテナ２０１、無線通信部２０２を介して送受信信号処理部２０３が受信し、送受信信号処理部２０３は監視データ収集部２０４に対して自動車８０のドア施錠監視データを収集するよう指示する。
【００４８】
監視データ収集部２０４は、送受信信号処理部２０３の上記指示に従って自動車８０のドア施錠監視データを収集し、収集したドア施錠監視データを送受信信号処理部２０３に送出する。送受信信号処理部２０３は、収集されたドア施錠監視データを示す監視情報２２を無線通信部２０２、アンテナ２０１を介して遠隔監視制御用サーバ５０宛に送出する。
【００４９】
遠隔監視制御用サーバ５０では、被監視制御用無線端末２０からのドア施錠監視データを示す監視情報２２をデータ処理制御部４０２が受信すると、データ処理制御部４０２は、画面格納御制部４０５を介して、携帯電話機１０の表示部３０４に表示されるドア施錠監視データ表示画面を生成するための画面フォーマットを表示画面格納部４０６から読み出し、携帯電話機１０に上記ドア施錠監視データ表示画面が表示されたとき、上記画面フォーマットの所定の位置に被監視制御用無線端末２０からのドア施錠監視データが表示されるように、上記画面フォーマットとドア施錠監視データとから上記ドア施錠監視データ表示画面を生成する。
【００５０】
さらに、データ処理制御部４０２は、表示画面格納部４０６からドア施錠用の制御入力画面を読み出し、先に生成したドア施錠監視データ表示画面の表示内容とドア施錠用の制御入力画面の表示内容とがともに携帯電話機１０の表示部３０４の表示画面の１画面内に納まるように、あらかじめ定められた所定の位置にそれぞれの画面内容を配置し画面の再構築をしてドア施錠の監視・制御入力詳細表示画面を生成し、生成されたドア施錠の監視・制御入力詳細表示画面を示す情報である監視情報１２をインターネット通信部４０１を介して携帯電話機１０宛に送信する。すなわち、データ処理制御部４０２は、被監視制御用無線端末２０からの監視情報２２を受信し、受信した監視情報２２を携帯電話機１０へ送信する監視情報として適した監視情報である監視情報１２に変換して送信する。
【００５１】
携帯電話機１０では、遠隔監視制御用サーバ５０から送信されてきた、ドア施錠用の制御入力画面とドア施錠監視データ表示画面とが合成された、上記ドア施錠の監視・制御入力詳細表示画面を表示部３０４に表示する。
【００５２】
図８は、本実施の形態の遠隔監視制御システムにおける自動車８０のドアの施錠を解除する遠隔制御の動作の流れの一例を示す流れ図である。
【００５３】
すなわち、図８は、携帯電話機１０を用いて離れた場所から被監視制御用無線端末２０を介して自動車８０のドアの施錠解除を行う遠隔制御の動作の流れを示している。
【００５４】
自動車８０のドアの施錠を解除する制御動作を行うときには、まず遠隔監視制御用サーバ５０は、携帯電話機１０および被監視制御用無線端末２０のそれぞれの地理的な現在位置を示す情報を収集し、携帯電話機１０の現在位置が被監視制御用無線端末２０の現在位置（すなわち自動車８０の現在位置）の近くであるか否かを判定し、携帯電話機１０の現在位置が自動車８０の現在位置の近くであることを確認してからドアの施錠解除の制御指示を被監視制御用無線端末２０に出すようにすることで、携帯電話機１０を携帯した使用者のいる場所が自動車８０の場所から遠く離れているにもかかわらず、自動車８０のドアの施錠を解除してしまうという誤ったドアの施錠解除の制御を行わないように動作する。
【００５５】
以下に詳細説明を行う。
【００５６】
携帯電話機１０から被監視制御用無線端末２０に対して自動車８０のドアの施錠、例えば運転手席のドアの施錠の解除を行うドア施錠解除の遠隔制御を実行するには、上述した、遠隔監視制御用サーバ５０への遠隔監視制御開始要求を送信するための操作入力が行われ、携帯電話機１０の表示部３０４に表示された監視・制御入力表示画面上での制御入力を行うことで開始する。すなわち、携帯電話機１０の操作入力部３０５のキーボードを操作することにより、監視・制御入力表示画面上で、図６（ｂ）に示すドア施錠の監視・制御入力詳細表示画面を表示させるためのドア施錠の制御入力を行うためのボタン８０２を選択し、さらに、画面上の制御ボタンであるボタン８０２を押下することに相当する、操作入力部３０５のキーボード上のキーを操作することにより行う。
【００５７】
上記の操作入力部３０５のキーボードでの操作により、監視・制御入力表示画面の代りに表示されたドア施錠の監視・制御入力詳細表示画面上で、運転手席のドアの施錠の解除を行うドア施錠解除の遠隔制御を行うために、運転手席のドア施錠の解除の制御入力を行うためのボタン８０６を選択し、さらに、画面上の制御ボタンであるボタン８０６を押下することに相当する、操作入力部３０５のキーボード上のキーを操作する。このように、携帯電話機１０の操作入力部３０５のキーボードを操作することにより、ドア施錠解除要求を遠隔監視制御用サーバ５０に送信するよう指示する制御指示が操作入力部３０５から送受信信号処理部３０３に送られ、送受信信号処理部３０３がドア施錠解除要求を示す制御情報１１を無線通信部３０２、アンテナ３０１を介してインターネット網３０に接続される遠隔監視制御用サーバ５０宛に、図８に示すように、携帯電話機１０から送出する。
【００５８】
遠隔監視制御用サーバ５０では、携帯電話機１０からのドア施錠解除要求を示す制御情報１１を、インターネット通信部４０１を介してデータ処理制御部４０２で受信する。データ処理制御部４０２は、受信した制御情報１１の示すドアの施錠解除要求に基づいて、携帯電話機１０宛にインターネット通信部４０１を介して、携帯電話機１０の現在位置を示す位置情報の送信を求める位置情報送信要求を送出するとともに、被監視制御用無線端末２０宛にも被監視制御用無線端末２０の現在位置を示す位置情報の送信を求める位置情報送信要求を送出する。
【００５９】
携帯電話機１０では、遠隔監視制御用サーバ５０からの、現在位置を示す位置情報の送信を求める位置情報送信要求を受信した送受信信号処理部３０３が、位置検出部３０６に対して携帯電話機１０の現在位置を算出するように指示を行う。位置検出部３０６は内蔵するＧＰＳ受信機によってＧＰＳ信号を受信し、携帯電話機１０の緯度・経度上の現在位置を算出し、算出した携帯電話機１０の現在位置を示す位置情報を送受信信号処理部３０３に出力し、送受信信号処理部３０３はその位置情報を無線通信部３０２を介して遠隔監視制御用サーバ５０に向けて送信する。
【００６０】
被監視制御用無線端末２０でも同様に、遠隔監視制御用サーバ５０からの、現在位置を示す位置情報の送信を求める位置情報送信要求を受信した送受信信号処理部２０３が、位置検出部２０６に対して被監視制御用無線端末２０の現在位置を算出するように指示を行う。位置検出部２０６は内蔵するＧＰＳ受信機によってＧＰＳ信号を受信し、被監視制御用無線端末２０の緯度・経度上の現在位置を算出し、算出した被監視制御用無線端末２０の現在位置を示す位置情報を送受信信号処理部２０３に出力し、送受信信号処理部２０３はその位置情報を無線通信部２０２を介して遠隔監視制御用サーバ５０に向けて送信する。
【００６１】
一方、遠隔監視制御用サーバ５０では、データ処理制御部４０２が、携帯電話機１０および被監視制御用無線端末２０から送られてきた、それぞれの現在位置を示すそれぞれの位置情報に基づいて、携帯電話機１０の現在位置と被監視制御用無線端末２０の現在位置との間の距離を算出する。データ処理制御部４０２は、算出された距離、すなわち、携帯電話機１０の現在位置と被監視制御用無線端末２０の現在位置との間の距離の値があらかじめ定められた値を超えるか否かを判定し、算出された距離の値があらかじめ定められた値を超えていない場合は、携帯電話機１０からの遠隔制御により送信されてきた、ドア施錠解除要求を示す制御情報１１に基づき、ドア施錠解除要求を示す制御情報２１を被監視制御用無線端末２０宛にインターネット通信部４０１を介して送信する。
【００６２】
被監視制御用無線端末２０では、遠隔監視制御用サーバ５０からのドア施錠解除要求を示す制御情報２１を送受信信号処理部２０３が受信したことにより、送受信信号処理部２０３は制御出力部２０５に対して自動車８０のドアの施錠解除の制御を行うよう指示し、制御出力部２０５がドアの施錠解除を制御するための制御出力を自動車８０のドアの施錠及び施錠解除を自動的に駆動する機構である、図示しないドア施錠自動駆動機構に送出する。
【００６３】
送受信信号処理部２０３は、あらかじめ定められた時間が経過したとき、ドアの施錠解除の制御が正常に行われたことを確認するために監視データ収集部２０４にドア施錠状態を示す監視データの収集を指示し、監視データ収集部２０４によって収集されたドア施錠状態を示す監視データを受け取ってドアの施錠解除の制御完了を確認すると、ドアの施錠解除の制御完了を示すドア施錠解除の監視データを送信するため監視情報２２を無線通信部２０２を介して遠隔監視制御用サーバ５０に向けて送信する。
【００６４】
また、遠隔監視制御用サーバ５０では、被監視制御用無線端末２０からのドアの施錠解除の制御完了を示す監視情報２２をデータ処理制御部４０２が受信すると、データ処理制御部４０２は画面格納御制部４０５を介して、携帯電話機１０の表示部３０４に表示されるドア施錠状態表示画面を生成するための画面のフォーマットを表示画面格納部４０６から読み出し、携帯電話機１０にドア施錠状態表示画面が表示されたとき、上記画面フォーマットの所定の位置に被監視制御用無線端末２０からのドア施錠解除の制御完了を示す監視データが表示されるように、上記画面フォーマットとドア施錠解除の制御完了を示す監視データとからドア施錠状態表示画面を生成する。
【００６５】
さらに、データ処理制御部４０２は、表示画面格納部４０６からドア施錠の制御入力画面を読み出し、先に生成したドア施錠状態表示画面の表示内容とドア施錠の制御入力画面の表示内容とがともに携帯電話機１０の表示部３０４の表示画面の１画面内に納まるように、あらかじめ定められた所定の位置にそれぞれの画面内容を配置して画面の再構築をし、ドア施錠状態表示画面と制御入力画面とを合成したドア施錠の監視制御入力詳細表示画面を生成し、この表示画面を示す情報である監視情報１２をインターネット通信部４０１を介して携帯電話機１０宛に送信する。携帯電話機１０では、遠隔監視制御用サーバ５０から送信されてきた、上記ドア施錠の監視制御入力詳細表示画面を表示部３０４に表示する。
【００６６】
なお、遠隔監視制御用サーバ５０で、データ処理制御部４０２が、携帯電話機１０の現在位置と被監視制御用無線端末２０の現在位置との間の距離の値を算出し、その距離の値があらかじめ定められた値を超えるか否かを判定したとき、算出された距離の値があらかじめ定められた値を超えていた場合は、防犯上の理由により自動車８０のドア施錠解除の遠隔制御を無効とする判定を行い、この旨を知らせる情報を表示する表示画面を生成して携帯電話機１０に送信するため、表示画面格納部４０６から遠隔制御無効通知画面のフォーマットを読み出して、このフォーマットと自動車８０のドア施錠解除の遠隔制御を無効とする旨を知らせる情報とから、ドア施錠解除制御無効通知表示画面を生成し、ドア施錠解除制御無効通知表示画面を示す情報である監視情報１２を携帯電話機１０宛にインターネット通信部４０１を介して送信し、ドア施錠の解除の遠隔制御を終了する。携帯電話機１０では、遠隔監視制御用サーバ５０から送信されてきた、ドア施錠解除制御無効通知表示画面を表示部３０４に表示する。
【００６７】
図９は、本実施の形態の遠隔監視制御システムにおける自動車８０の各部の状態を監視する監視動作の流れの一例を示す流れ図である。
【００６８】
すなわち、図９は、遠隔監視制御用サーバ５０が被監視制御用無線端末２０を介して自動車８０の各部の動作状態を示す監視データとして例えば燃料消費率を定期的に収集し、監視データとして収集された燃料消費率を遠隔監視制御用サーバのデータ格納部４０４に格納する動作の流れを示している。上記の燃料消費率のような監視データを定期的に収集することによって、自動車８０の性能劣化、及び性能劣化を招いている故障の有無などの診断に役立てることができる。
【００６９】
図９を参照すると、遠隔監視制御用サーバ５０は、あらかじめ定められた周期で定期的に自動車８０の動作状態を示す監視データを収集することを要求する監視データ収集要求を示す制御情報２１を、自動車８０のドア施錠解除要求を示す制御情報２１の場合の経路と同様の経路で被監視制御用無線端末２０に送出する。被監視制御用無線端末２０は、監視データ収集要求を示す制御情報２１を受信する都度、自動車８０の各部の動作状態を示す監視データを収集し、収集した監視データを示す監視情報２２を、その都度遠隔監視制御用サーバ５０に自動車ドア施錠解除要求の場合の経路と同様の経路で送信する。遠隔監視制御用サーバ５０は被監視制御用無線端末２０からの監視情報２２を受信し、その中から監視データを取り出してデータ格納部４０４に格納する。
【００７０】
図１０は、本実施の形態の遠隔監視制御システムにおける自動車８０の各部の状態を監視する監視動作の流れの他の一例を示す流れ図である。
【００７１】
図１０でも、図９の場合と同様に、遠隔監視制御用サーバ５０が被監視制御用無線端末２０を介して自動車８０の各部の動作状態を示す監視データをあらかじめ定められた周期で定期的に収集し、収集されたデータを遠隔監視制御用サーバのデータ格納部４０４に格納する動作の流れを示している。
【００７２】
図１０の場合は、被監視制御用無線端末２０が、被監視制御用無線端末２０のデータ処理制御部４０２内で記憶されるあらかじめ定められた周期で、定期的に自動車８０の各部の動作状態を示す監視データを収集し、収集した監視データを示す監視情報２２をその都度遠隔監視制御用サーバ５０に自動車８０のドア施錠解除要求の場合の経路と同様の経路で送信する。遠隔監視制御用サーバ５０は被監視制御用無線端末２０からの監視情報２２を受信し、その中から監視データを取り出してデータ格納部４０４に格納する。
【００７３】
また、図１１は、本実施の形態の遠隔監視制御システムにおいて収集された監視データに基づき行われる診断動作及び診断結果の携帯電話機１０への送信動作の流れの一例を示す流れ図である。
【００７４】
すなわち、図１１は、携帯電話機１０からの、自動車８０の動作状態の診断要求によって、遠隔監視制御用サーバ５０のデータ処理制御部４０２がデータ格納部４０４に記憶された監視データに基づいて診断を実行し、その診断の結果を携帯電話機１０の表示部３０４に表示させる動作の流れを示している。
【００７５】
図１１に示すように、携帯電話機１０から送信された、自動車８０の動作状態の診断要求を示す制御情報１１を受信して、遠隔監視制御用サーバ５０のデータ処理制御部４０２は、データ格納制御部４０３を介してデータ格納部４０４に記憶された監視データを読み出し、内蔵する自動車８０の動作状態の診断を行う車両の異状診断プログラムを働かせて、上記監視データをもとに自動車８０の動作状態の診断を実行し、得られた動作状態診断結果情報を、データ蓄積制御部４０３を介してデータ格納部４０４へ格納しておき、表示画面格納制御部４０５を介して、携帯電話機１０の表示部３０４に表示される動作状態診断結果情報表示画面を生成するための画面フォーマットを表示画面格納部４０６から読み出し、携帯電話機１０に動作状態診断結果情報表示画面が表示されたとき、上記画面フォーマットの所定の位置に上記動作状態診断結果情報が表示されるように、上記画面フォーマットと動作状態診断結果情報とから動作状態診断結果情報表示画面を生成し、また表示画面格納部４０６から読み出した制御入力画面と前述の動作状態診断結果情報表示画面とを合成した表示画面を生成し、この表示画面を示す監視情報１２をインターネット通信部４０１を介して携帯電話機１０宛にして送信する。携帯電話機１０では、遠隔監視制御用サーバ５０から送信されてきた監視情報１２が示す、動作状態診断結果情報表示画面と制御入力画面とが合成された表示画面を表示部３０４に表示する。
【００７６】
図１２は、本実施の形態の遠隔監視制御システムにおける監視データに基づく診断動作及び診断結果の携帯電話機１０への送信動作の流れの他の一例を示す流れ図である。
【００７７】
すなわち、図１２では、携帯電話機１０が遠隔監視制御用サーバ５０に対して自動車８０の動作状態の診断を要求し、遠隔監視制御用サーバ５０は、さらに、自動車メーカに設置された診断端末（図示せず）に上記自動車８０の動作状態の診断を要求し、自動車メーカの診断端末によって診断され得られた診断結果を上記メーカの診断端末から受け取って携帯電話機１０に送信する動作の流れを示している。
【００７８】
図１２に示すように、携帯電話機１０からの、異状の有無を調べるための自動車８０の動作状態診断要求を示す制御情報１１によって、遠隔監視制御用サーバ５０のデータ処理制御部４０２は、監視データに基づく動作状態の診断を、遠隔監視制御用サーバ５０にあらかじめ登録されたインターネット網３０に接続される自動車メーカの診断端末に行わせるための動作状態診断要求を示す制御情報を、インターネット通信部４０１を介して上記自動車メーカの診断端末宛に送信する。
【００７９】
上記自動車メーカの診断端末が上記動作状態診断要求を示す制御情報を受信して、遠隔監視制御用サーバ５０に対して上記自動車８０の監視データを送信するよう要求する監視データ送信要求を示す制御情報を送信してきたとき、監視データ送信要求を示す制御情報を受信したデータ処理制御部４０２は、データ格納制御部４０３を介してデータ格納部４０４に記憶された監視データを読み出し、読み出した監視データを上記自動車メーカの診断端末宛にインターネット通信部４０１を介して送信する。そして、上記監視データに基づく診断を行いその診断を終了した上記自動車メーカの診断端末から、診断結果を示す動作状態診断結果情報を受け取ったデータ処理制御部４０２は、表示画面格納制御部４０５を介して、携帯電話機１０の表示部３０４に表示される動作状態診断結果情報表示画面を生成するための画面フォーマットを表示画面格納部４０６から読み出し、携帯電話機１０に動作状態診断結果情報表示画面が表示されたとき、上記画面フォーマットの所定の位置に上記動作状態診断結果情報が表示されるように、上記画面フォーマットと動作状態診断結果情報とから動作状態診断結果情報表示画面を生成する。
【００８０】
さらに、データ処理制御部４０２は、制御入力画面を表示画面格納部４０６から読み出し、読み出した制御入力画面と前述の動作状態診断結果情報表示画面とを合成した表示画面を生成し、この表示画面を示す監視情報１２をインターネット通信部４０１を介して携帯電話機１０宛に送信する。携帯電話機１０では、遠隔監視制御用サーバ５０から送信されてきた監視情報１２が示す、制御入力画面と動作状態診断結果情報表示画面とが合成された表示画面を表示部３０４に表示する。
【００８１】
上記の動作説明では、自動車８０を遠隔監視制御する端末として携帯電話機１０を用いた場合について動作説明を行ったが、携帯電話機１０の代りにパーソナルコンピュータ７０を用いても、上述した携帯電話機１０を用いた場合と同様の動作となるので、動作説明は省略する。
【００８２】
次に、本実施の形態の遠隔監視制御システムにおける課金の形態を説明する。
【００８３】
図１に示すように、携帯電話機１０及び被監視制御用無線端末２０は、インターネット網３０に接続される移動無線基地局４０を介してそれぞれが遠隔監視制御用サーバ５０と接続されているが、携帯電話機１０から遠隔監視制御用サーバ５０を介して被監視制御対象の機器・設備の遠隔監視制御を行う場合の、遠隔監視制御用サーバ５０の使用に対する課金の形態について下記に説明する。
【００８４】
携帯電話機１０の使用者は、遠隔監視制御用サーバ５０の運用者との間で遠隔監視制御用サーバ５０の利用契約を締結してサーバ利用者登録を済ませると、遠隔監視制御用サーバ５０を介して被監視制御用無線端末２０に接続される、図示しない被監視制御対象の機器・設備を遠隔監視制御することができる。この場合、遠隔監視制御用サーバ５０が、携帯電話機１０から送付される、サーバ利用者登録をしたユーザに与えられる暗証番号を確認することによって、サーバ利用者登録をしたユーザのみが利用できるように構成される。
【００８５】
上記に述べた利用契約によりサーバ利用者登録をしたユーザが、携帯電話機等を使用して被監視制御対象の機器・設備を遠隔監視制御するために、遠隔監視制御用サーバ５０を使用する運用の形態としては、ユーザが遠隔監視制御用サーバ５０の運用者に、遠隔監視制御用サーバ５０の使用時間に関係なく一定期間内の使用に対して一定金額を支払う形態か、ユーザが遠隔監視制御用サーバ５０の運用者に利用時間に従った料金を支払う従量料金の形態か、あるいは利用契約（サーバ利用者登録）は行われるがユーザから遠隔監視制御用サーバ５０の運用者への支払いが不要である形態があるが、そのいずれかで、本実施の形態の遠隔監視制御システムにおける課金の形態を構成することができる。
【００８６】
なお、ユーザが遠隔監視制御用サーバ５０の運用者に利用時間に従った料金を支払う従量料金の形態の場合には、携帯電話機１０に対して機器・設備の遠隔監視及び遠隔制御の代価を算出し請求する課金手段を遠隔監視制御用サーバ５０内に設けるようにする。
【００８７】
上記の利用契約（サーバ利用者登録）は行われるがユーザからの遠隔監視制御用サーバ５０の運用者への支払いが不要な場合の運用形態では、遠隔監視制御用サーバ５０へのアクセスの都度、遠隔監視制御用サーバ５０から携帯電話機１０に広告画面が送られて、携帯電話機１０の表示部３０４に広告画面が表示されるような運用となり、広告主が携帯電話機１０の使用者である上記ユーザに広告画面を見てもらう代りに、その代価として広告主から遠隔監視制御用サーバ５０の運用者に広告表示料が支払われる形態か、又は自動車メーカが自動車８０のユーザとしての上記携帯電話機１０の使用者に対するサービスとして遠隔監視制御用サーバ５０を運用する形態となる。
【００８８】
また、図１に示すように、パーソナルコンピュータ７０が、インターネット網３０に接続される公衆電話網６０を介して、また、被監視制御用無線端末２０がインターネット網３０に接続される移動無線基地局４０を介して遠隔監視制御用サーバ５０と接続され、パーソナルコンピュータ７０から遠隔監視制御用サーバ５０を介して被監視制御対象の機器・設備の遠隔監視制御を行う場合についても、遠隔監視制御用サーバ５０の使用に対する課金の形態は、上記の携帯電話機１０の場合と同様である。
【００８９】
なお、上記の説明では、遠隔監視制御用サーバ５０で制御入力画面と監視データ表示画面とから合成し生成された上記監視・制御入力詳細表示画面が携帯電話機１０に送信されることで説明したが、監視データ表示画面を制御入力画面と合成せずに、監視データ表示画面のみで送信し、携帯電話機１０の液晶ディスプレイ画面８００に監視データのみを表示するようにしてもよい。
【００９０】
上記の説明では、遠隔監視制御の対象となる機器・設備の一例として自動車を例に挙げ、自動車の監視データの表示及び自動車のドアの施錠制御等の場合を例にして説明したが、遠隔監視制御の対象となる機器・設備が自動車の場合であれば、上述したドアの施錠の遠隔制御の他に自動車の窓の開閉状態の遠隔監視及び遠隔制御を行うこともでき、また、本発明の遠隔監視制御の対象となる機器・設備が自動車でなく、家庭の玄関ドア又はエアコンの場合であってももよく、この場合も外出先から玄関ドアの施錠状態の監視及び施錠の遠隔制御、又はエアコンのオン・オフの状態の遠隔監視及びエアコンのオン・オフの遠隔制御を行うことにも用いることができる。
【００９１】
上述したように、本発明によれば、自動車や玄関の施錠などを遠隔監視制御の対象の機器・設備とし、インターネット網に接続可能な携帯電話機やパーソナルコンピュータ等の端末を介して遠隔監視制御を行うことができる。そのとき、例えば携帯電話機から自動車の遠隔監視制御を行う場合、携帯電話機に種々の遠隔監視制御項目のメニューを表示し、その遠隔監視制御項目のメニューの中に上述した自動車のドアの施錠の遠隔制御を設けてそれを選択し実行させることで、上述したように、自動車のドアの施錠の遠隔制御を行うことができる。また、遠隔監視制御項目のメニューの中の燃料の残量表示の項目を選択することによって、携帯電話機を介して自動車の燃料の残量を知ることができる。
【００９２】
また、遠隔監視制御用サーバの監視データ表示画面等のフォーマットなどの情報は、遠隔監視制御の対象となる機器・設備のそれぞれのメーカが担当して用意するようにすれば、遠隔監視制御の対象となる個々の機器・設備の型式に合った監視制御表示画面を構成することができる。従って、遠隔監視制御用サーバの記憶部に用意される上記監視データ表示画面等のフォーマットなどの情報は、インターネット網の運用者が用意するよりも、メーカが用意した方が見易い表示画面を揃えることができ、かつ遠隔監視制御に適した各種の表示画面を揃えることができ、表示画面のメニュー揃えが充実することが期待できる。
【００９３】
また、遠隔監視制御用サーバの運用者としてはインターネット網の運用者でなく、遠隔監視制御の対象となる機器・設備のメーカが遠隔監視制御用サーバの運用者となってもよい。すなわち、遠隔監視制御の対象となる機器・設備が自動車の場合であって、自動車を遠隔監視制御の対象とする需要が多く、自動車を遠隔監視制御の対象とし自動車の遠隔監視のみを行う自動車専用の遠隔監視制御用サーバを設ける場合は、その遠隔監視制御用サーバの運用者としては自動車メーカの方が、表示画面のメニュー揃えの充実を期待できる。
【００９４】
また、上記のように、遠隔監視制御用サーバの運用者がインターネット網の運用者ではなくメーカであるような場合、携帯電話機等の使用者が遠隔監視制御用サーバをアクセスする度に、遠隔監視制御用サーバの運用者であるメーカに携帯電話機等の使用者が料金を支払うようにしてもよい。
【００９５】
また、遠隔監視制御用サーバを、遠隔監視制御の対象となる機器・設備の種別ごとに、例えば自動車、家電等の機器・設備の種別ごとに設けてもよい。
【００９６】
また、遠隔監視制御用サーバが遠隔監視制御の対象となる機器・設備の種別に設けられる場合、例えば、自動車の遠隔監視制御のための専用のサーバが設けられ、その運用者が自動車メーカであるときには、さらに、自動車のメーカ別の遠隔監視制御用サーバを設けてもよい。
【００９７】
また、上記のように複数の遠隔監視制御用サーバが設けられる場合、複数の遠隔監視制御用サーバを携帯電話機の使用者が選択できるようにしてもよい。
【００９８】
【発明の効果】
以上説明したように、本発明の遠隔監視制御システムは、遠隔監視制御の対象となる各種の機器・設備にインターネット網に接続できる機能を持たせ、この機器・設備に対する遠隔監視制御を、インターネット網に接続された、遠隔監視制御機能を有するサーバを介し、インターネット網に接続可能な携帯電話機又はパーソナルコンピュータなどの情報端末から行うように遠隔監視制御システムを構成し、上記端末から上記遠隔監視制御の対象となる上記機器・設備へ送信される制御情報を、機器・設備に対応した制御信号にサーバで変換して機器・設備へ送信し、またその機器・設備から上記端末へ送信される監視情報を、端末の画面上に表示するにふさわしい表示画面を構成するための監視情報にサーバで変換して端末へ送信するようにしたことにより、各種の機器・設備を監視制御の対象とすることができるという効果を有している。
【００９９】
また、監視表示画面と制御操作を行う表示画面とをサーバで同一画面に合成することにより、監視表示画面を見ながら制御操作ができて操作性のよい表示画面を情報端末に表示させることができるという効果を有している。
【図面の簡単な説明】
【図１】本発明の遠隔監視制御システムの実施の一形態を示すブロック図である。
【図２】図１に示す被監視制御用無線端末の構成を示すブロック図である。
【図３】図１に示す携帯電話機の構成を示すブロック図である。
【図４】図１に示す遠隔監視制御用サーバの構成を示すブロック図である。
【図５】本実施の形態の遠隔監視制御システムにおける監視動作の流れの一例を示す流れ図である。
【図６】本実施の形態の携帯電話機における画面の表示例を示す説明図である。
【図７】本実施の形態の遠隔監視制御システムにおける自動車のドア施錠状態の情報を監視データとして収集する動作の流れの一例を示す流れ図である。
【図８】本実施の形態の遠隔監視制御システムにおける自動車のドアの施錠を解除する遠隔制御の動作の流れの一例を示す流れ図である。
【図９】本実施の形態の遠隔監視制御システムにおける自動車の各部の状態を監視する監視動作の流れの一例を示す流れ図である。
【図１０】本実施の形態の遠隔監視制御システムにおける自動車の各部の状態を監視する監視動作の流れの他の一例を示す流れ図である。
【図１１】本実施の形態の遠隔監視制御システムにおける監視データに基づく診断動作及び診断結果の携帯電話機への送信動作の流れの一例を示す流れ図である。
【図１２】本実施の形態の遠隔監視制御システムにおける監視データに基づく診断動作及び診断結果の携帯電話機への送信動作の流れの他の一例を示す流れ図である。
【符号の説明】
１０    携帯電話機
１１    制御情報
１２    監視情報
２０    被監視制御用無線端末
２１    制御情報
２２    監視情報
３０    インターネット網
４０    移動無線基地局
５０    遠隔監視制御用サーバ
６０    公衆電話網
７０    パーソナルコンピュータ
８０    自動車
２０１    アンテナ
２０２    無線通信部
２０３    送受信信号処理部
２０４    監視データ収集部
２０５    制御出力部
２０６    位置検出部
３０１    アンテナ
３０２    無線通信部
３０３    送受信信号処理部
３０４    表示部
３０５    操作入力部
３０６    位置検出部
４０１    インターネット通信部
４０２    データ処理制御部
４０３    データ格納制御部
４０４    データ格納部
４０５    表示画面格納制御部
４０６    表示画面格納部
８００    液晶ディスプレイ画面
８０１    表示枠
８０２    ボタン
８０３    表示枠
８０４ａ〜８０４ｄ    表示枠
８０５、８０６    ボタン
【図１】
0003651402.tif 000002
【図２】
0003651402.tif 000003
【図３】
0003651402.tif 000004
【図４】
0003651402.tif 000005
【図５】
0003651402.tif 000006
【図６】
0003651402.tif 000007
【図７】
0003651402.tif 000008
【図８】
0003651402.tif 000009
【図９】
0003651402.tif 000010
【図１０】
0003651402.tif 000011
【図１１】
0003651402.tif 000012
【図１２】
0003651402.tif 000013